【手続補正書】
【提出日】平成29年4月14日(2017.4.14)
【手続補正１】
【補正対象書類名】特許請求の範囲
【補正対象項目名】全文
【補正方法】変更
【補正の内容】
【特許請求の範囲】
【請求項１】
足底筋膜炎管理用の動的矯正用補助具（１，１００）であって、
弾力性のある材料（１１１）から形成された足底部（７，１２０）を有するソックス（３，１１０）であって、前記足底部（７，１２０）は装着時に装着者の足単体を閉状態に付勢するよう作用する張力の線を足底部（７，１２０）に発生させるような形状となっている、足底筋膜炎の症状を軽減するソックスを備え、
足底部（７，１２０）の材料にひだまたはプリーツを寄せ、ひだまたはプリーツを寄せられた材料を合わせて形成されるダーツ（３４，１３０）、または、足底部（７，１２０）から材料の一部を取り除いて足底部（７，１２０）に規定される穴を形成しこの穴の端部を合わせる事によって、足底部（７，１２０）にくぼみ（３３，１４０）を形成するダーツ（３４，１３０）、を含む足底部（７，１２０）を特徴とする動的矯正用補助具（１，１００）。
【請求項２】
前記足底部（７，１２０）は、踵部（９，１２１）と、母指球部（１２２）と、アーチ部（１２３）とを備え、前記足底部（７，１２０）は、装着時に前記アーチ部の材料が前記踵部（９，１２１）または前記母指球部（１２２）の材料よりも大きく伸びるよう形成される、請求項１に記載の矯正用補助具。
【請求項３】
前記くぼみ（３３，１４０）は、前記装着者の足に合うよう伸びるときに前記装着者の足を閉じるよう作用する張力の線を生じさせる、略円錐形状のくぼみである、請求項１または２に記載の矯正用補助具。
【請求項４】
前記ダーツ（３４，１３０）は、前記足底部（７，１２０）に沿ってほぼ中央に延び、
必要に応じて、前記ダーツ（３４，１３０）は、前記足底部（７，１２０）の前記母指球部（１２２）と前記足底部の前記踵部（９，１２１）の間に延びる、請求項２または請求項３に記載の矯正用補助具。
【請求項５】
前記ソックスの前記足底部（７，１２０）に取り付けられた、前記補助具が装着されたときに装着者の足単体を閉状態に付勢するための、少なくとも１個の弾力性のある補強パネル（１５，１７，１９，２１，１５１，１５２，１５３，１５４）を備える、請求項１から請求項４までのいずれか一項に記載の矯正用補助具。
【請求項６】
前記弾力性のある補強パネル（１５，１７，１９，２１，１５１，１５２，１５３，１５４）またはその各々は、前記補助具が装着されたときに、前記足底部（７，１２０）の少なくとも一部を斜めに横切って収縮力または張力の線をかける、請求項５に記載の矯正用補助具。
【請求項７】
請求項５または請求項６に記載の動的矯正用補助具であって、
ａ）弾力性のある補強パネル（１５，１５１）は、前記足底部（７，１２０）の母指球部（１２２）の右側から、前記足底部（７，１２０）の少なくとも一部を斜め後方に横切って延び、
必要に応じて、前記弾力性のある補強パネル（１５，１５１）は、前記母指球部（１２２）の右側から、前記足底部（７，１２０）の右側および左側からほぼ等距離の前記足底部（７，１２０）上の位置まで延び、
ｂ）弾力性のある補強パネル（１７，１５２）は、前記足底部（７，１２０）の母指球部（１２２）の左側から、前記足底部（７，１２０）の少なくとも一部を斜め後方に横切って延び、必要に応じて、前記弾力性のある補強パネル（１７，１５２）は、前記母指球部（１２２）の左側から、前記足底部（７，１２０）の右側および左側からほぼ等距離の前記足底部（７，１２０）上の位置まで延び、
ｃ）弾力性のある補強パネル（２１，１５４）は、前記足底部（７，１２０）の踵部（９，１２１）の左側から、前記ソックス（３，１１０）の前記足底部（７，１２０）の少なくとも一部を斜め前方に横切って延び、
必要に応じて、前記弾力性のある補強パネル（２１，１５４）は、前記ソックス（３，１１０）の前記足底部（７，１２０）の前記踵部（９，１２１）の左側から、前記足底部（７，１２０）の右側および左側からほぼ等距離の前記足底部（７，１２０）上の位置まで延び、及び／又は、
ｄ）弾力性のある補強パネル（１９，１５３）は、前記足底部（７，１２０）の踵部（９，１２１）の右側から、前記足底部（７，１２０）の少なくとも一部を斜め前方に横切って延び、
必要に応じて、前記弾力性のある補強パネル（１９，１５３）は、前記足底部（７，１２０）の前記踵部（９，１２１）の右側から、前記足底部（７，１２０）の右側および左側からほぼ等距離の前記足底部（７，１２０）上の位置まで延びる、請求項５または６に記載の矯正用補助具。
【請求項８】
前記足底部（７，１２０）の前記弾力性のある補強パネル（１５，１７，１９，２１，１５１，１５２，１５３，１５４）またはその各々は、前記足底部（７，１２０）のアーチ部（１２３）まで、好ましくは前記足底部（７，１２０）のくぼみ（３３，１４０）まで延びる部分を有する、請求項５から請求項７のいずれか一項に記載の矯正用補助具。
【請求項９】
前記ソックス（３，１１０）の踵部（９）を横切って延びる、少なくとも１個の弾力性のある補強パネル（２３，２５）を備え、
及び／又は、装着時に装着者の足の背屈を促すよう前記ソックスに取り付けられた、少なくとも１個の弾力性のある補強パネル（２７）を備える、請求項１から請求項８までのいずれか一項に記載の矯正用補助具。
【請求項１０】
足底筋膜炎管理用の矯正用補助具（１，１００）製造方法であって、
装着者の足に合う弾力性のある材料（１１１）からソックス（３，１１０）を形成するステップを備え、
前記足底部（７，１２０）の一部が前記ソックス（３，１１０）の他の部分に対してくぼむように、前記ソックス（３，１１０）の足底部（７，１２０）にダーツ（３４，１３０）を形成することを含むことを特徴とし、
前記ダーツ（３４，１３０）は、前記ソックス（３，１１０）の前記足底部（７，１２０）の材料にひだまたはプリーツを寄せ、
前記ひだまたはプリーツが寄った材料を合わせて前記ダーツ（３４，１３０）は形成され、
または、前記足底部（７，１２０）から材料の一部を取り除くことによって前記足底部に規定される穴を形成し、
前記穴の端部を合わせて前記ダーツ（３４，１３０）を形成するステップを含む、矯正用補助具（１，１００）製造方法。
【請求項１１】
好ましくは前記ダーツ（３４，１３０）を形成するステップに先立って、少なくとも１個の弾力性のある補強パネル（１５，１７，１９，２１，１５１，１５２，１５３，１５４）を前記ソックス（３，１１０）の前記足底部（７，１２０）に取り付けるステップを備え、
必要に応じて、前記弾力性のある補強パネル（１５，１７，１９，２１，１５１，１５２，１５３，１５４）またはその各々は、前記補助具が装着されたときに前記ソックス（３，１１０）の前記足底部（７，１２０）の少なくとも一部を斜めに横切りこれに沿って収縮力または張力の線をかけるために、前記ソックス（３，１１０）の前記足底部（７，１２０）に斜め向きに取り付けられる、請求項１０に記載の方法。
【請求項１２】
請求項１１に記載の方法であって、
ａ）前記ソックス（３，１１０）に取り付けられた弾力性のある補強パネル（１５，１５１）は、前記足底部（７，１２０）の母指球部（１２２）の右側から、前記足底部（７，１２０）の少なくとも一部を斜め後方に横切って延び、
必要に応じて、前記弾力性のある補強パネル（１５，１５１）は、前記母指球部（１２２）の右側から、前記足底部（７，１２０）の右側および左側からほぼ等距離の前記足底部（７，１２０）上の位置まで延びるように取り付けられ、
ｂ）前記ソックス（３，１１０）に取り付けられた弾力性のある補強パネル（１７，１５２）は、前記足底部（７，１２０）の母指球部（１２２）の左側から、前記足底部（７，１２０）の少なくとも一部を斜め後方に横切って延び、
必要に応じて、前記弾力性のある補強パネル（１７，１５２）は、前記母指球部（１２２）の左側から、前記足底部（７，１２０）の右側および左側からほぼ等距離の前記足底部（７，１２０）上の位置まで延びるように取り付けられ、
ｃ）前記ソックス（３，１１０）に取り付けられた弾力性のある補強パネル（２１，１５４）は、前記足底部（７，１２０）の踵部（９，１２１）の左側から、前記ソックス（３，１１０）の前記足底部（７，１２０）の少なくとも一部を斜め前方に横切って延び、
必要に応じて、前記弾力性のある補強パネル（２１，１５４）は、前記ソックス（３，１１０）の前記足底部（７，１２０）の前記踵部（９，１２１）の左側から、前記足底部（７，１２０）の右側および左側からほぼ等距離の前記足底部（７，１２０）上の位置まで延びるように取り付けられ、及び／又は、
ｄ）前記ソックス（３，１１０）に取り付けられた弾力性のある補強パネル（１９，１５３）は、前記足底部（７，１２０）の踵部（９，１２１）の右側から、前記足底部（７，１２０）の少なくとも一部を斜め前方に横切って延び、
必要に応じて、前記弾力性のある補強パネル（１９，１５３）は、前記足底部（７，１２０）の前記踵部（９，１２１）の右側から、前記足底部（７，１２０）の右側および左側からほぼ等距離の前記足底部（７，１２０）上の位置まで延びるように取り付けられる、請求項１１に記載の方法。
【請求項１３】
前記弾力性のある補強パネル（１５，１７，１９，２１，１５１，１５２，１５３，１５４）またはその各々は、前記足底部（７，１２０）のアーチ部（１２３）まで、好ましくは前記足底部（７，１２０）の前記ダーツ（３４，１３０）まで延びる部分または端部を有するように、前記ソックス（３，１１０）の前記足底部（７，１２０）に取り付けられる、請求項１１に記載の方法。
【請求項１４】
少なくとも１個の弾力性のある補強パネル（２３，２５）を、前記ソックス（３，１１０）後部の踵部（９，１２１）を横切って取り付けるステップ、及び／又は装着時に装着者の足の背屈を促す、弾力性のある背屈支援補強パネル（２７）を取り付けるステップを備え、
必要に応じて、前記背屈支援補強パネル（２７）は、前記ソックスの脛部から前記ソックス（３，１１０）の足部上部へ延びるように、前記ソックス（３，１１０）に取り付けられる、請求項１１から請求項１３のいずれか一項に記載の方法。
【請求項１５】
前記穴は略楕円形状であり、前記楕円の最長軸が踵から爪先方向に延び、
必要に応じて、前記穴の前記最長寸法が３ｃｍから２０ｃｍの間であり、前記穴の最短寸法が１ｃｍから６０ｃｍの間である、請求項１０および請求項１０に従属する請求項１１から請求項１４までのいずれか一項に記載の方法。